【手続補正書】
【提出日】平成18年1月18日(2006.1.18)
【手続補正１】
【補正対象書類名】明細書
【補正対象項目名】発明の名称
【補正方法】変更
【補正の内容】
【発明の名称】インク袋、インクカートリッジ構造及びインクジェット記録装置並びにインク充填方法、インク再充填方法、インクカートリッジの製造方法、インクカートリッジのリサイクル方法、画像形成装置
【手続補正２】
【補正対象書類名】明細書
【補正対象項目名】特許請求の範囲
【補正方法】変更
【補正の内容】
【特許請求の範囲】
【請求項１】
インクを収納するインク袋において、可撓性を有する略四角形の袋本体の一辺に保持部材を固着してなり、前記保持部材には、前記袋本体内にインクを充填するためのインク充填口部と前記袋本体内のインクを排出するためのインク排出口部とを有するとともに、このインク袋を収納するカートリッジ筐体に保持するための係合部を有することを特徴とするインク袋。
【請求項２】
請求項１に記載のインク袋において、前記袋本体の縦横比が１≦１．５又は１．５≦１の範囲内にあることを特徴とするインク袋。
【請求項３】
請求項１又は２に記載のインク袋において、前記保持部材のインク充填口部及びインク排出口部は前記袋本体の一辺の略中央部に位置することを特徴とするインク袋。
【請求項４】
請求項１ないし３のいずれかに記載のインク袋において、このインク袋の保持部材は、前記カートリッジ筐体に収納したときに、カートリッジ筐体の高さ方向の略中央部に前記インク排出口部が位置する状態で保持されることを特徴とするインク袋。
【請求項５】
請求項１ないし４のいずれかに記載のインク袋において、このインク袋の袋本体内にインクを充填した状態で前記インク充填口部が融着されて封止されていることを特徴とするインク袋。
【請求項６】
請求項１ないし５のいずれかに記載のインク袋において、前記保持部材は前記袋本体の長辺側の一辺に設けられていることを特徴とするインク袋。
【請求項７】
請求項１ないし６のいずれかに記載のインク袋において、前記保持部材のインク排出口部には先端部の開口をシールするための弾性部材と、この弾性部材を保持するキャップ部材とを備えていることを特徴とするインク袋。
【請求項８】
請求項７に記載のインク袋において、前記保持部材のインク排出口部の外周面には前記キャップ部材に設けた係止片が係合するための段差部を有することを特徴とするインク袋。
【請求項９】
請求項７又は８に記載のインク袋において、前記弾性部材はシリコン、フッ素、ブチル等のゴム材料からなる円柱状部材であることを特徴とするインク袋。
【請求項１０】
請求項７ないし９のいずれかに記載のインク袋において、前記キャップ部材は前記弾性部材を押さえるフランジ部を有する筒状部材からなり、筒状部には内方に折り曲げられた複数の係止片を有することを特徴とするインク袋。
【請求項１１】
インク袋を収納したインクカートリッジにおいて、外形形状が相似の少なくとも２つの第１、２筐体とを備え、これらの第１、第２筐体は組立て及び分解可能であって、前記インク袋が請求項１ないし１０のいずれかに記載のインク袋であり、このインク袋の保持部材を前記第１筐体に設けた係合保持手段に係合保持していることを特徴とするインクカートリッジ。
【請求項１２】
インク収納手段を収納したインクカートリッジを前面側から装填可能なインクジェット記録装置において、前記インクカートリッジが請求項１１に記載のインクカートリッジであることを特徴とするインクジェット記録装置。
【請求項１３】
請求項１１に記載のインクカートリッジで用いるインク袋にインクを充填するインク充填方法において、前記インク袋の保持部材を前記第１筐体に係合保持した状態で前記インク充填口部からインクを充填することを特徴とするインク充填方法。
【請求項１４】
請求項１１に記載のインクカートリッジで用いるインク袋にインクを再充填するインク再充填方法において、前記インク袋の保持部材を前記第１筐体に係合保持した状態で前記インク排出口部からインクを再充填することを特徴とするインク再充填方法。
【請求項１５】
請求項１１に記載のインクカートリッジで用いるインク袋にインクを再充填するインク再充填方法において、前記インク袋の袋本体の一部に破断部分又は穿孔を設け、この破断部分又は穿孔から袋本体内にインクを再充填した後破断部分を封止することを特徴とするインク再充填方法。
【請求項１６】
請求項１１に記載のインクカートリッジを製造する製造方法であって、インクを充填したインク袋の保持部材を前記第１筐体に係合保持した後、前記第１筐体に前記第２筐体を組付けることを特徴とするインクカートリッジの製造方法。
【請求項１７】
請求項１１に記載のインクカートリッジをリサイクルするリサイクル方法であって、前記第１、第２の筐体を分解し、前記インク袋の保持部材を第１筐体から取り外してインク袋を外した後、インクが充填されたインク袋の保持部材を第１筐体の係合保持部に係合保持し、更に前記第１、第２の筐体を組み立てることを特徴とするインクカートリッジのリサイクル方法。
【請求項１８】
インク収納手段を収納したインクカートリッジを前面側から装填可能な画像形成装置において、前記インクカートリッジが請求項１１に記載のインクカートリッジであることを特徴とする画像形成装置。
【手続補正３】
【補正対象書類名】明細書
【補正対象項目名】０００１
【補正方法】変更
【補正の内容】
【０００１】
【産業上の利用分野】
本発明はインク袋、インクカートリッジ構造及びインクジェット記録装置並びにインク充填方法、インク再充填方法、インクカートリッジの製造方法、インクカートリッジのリサイクル方法、画像形成装置に関する。
【手続補正４】
【補正対象書類名】明細書
【補正対象項目名】００１４
【補正方法】変更
【補正の内容】
【００１４】
本発明は上記の課題に鑑みてなされたものであり、インクの使い残しが少なく、保護カバーに安定的に、着脱容易に取り付けられるインク袋、このインク袋を収納したインクカートリッジ、このインクカートリッジを備えたインクジェット記録装置及び画像形成装置、前記インク袋に対して容易にインクを充填するインクの充填方法、前記インク袋に対して容易にインクを最充填するインクの再充填方法、前記インクカートリッジを容易にリサイクルするリサイクル方法、前記インクカートリッジを製造するインクカートリッジの製造方法を提供することを目的とする。
【手続補正５】
【補正対象書類名】明細書
【補正対象項目名】００２０
【補正方法】変更
【補正の内容】
【００２０】
本発明に係るインクジェット記録装置及び画像形成装置は、本発明に係るインクカートリッジを前面側から装填可能にした構成としたものである。
【手続補正６】
【補正対象書類名】明細書
【補正対象項目名】００８１
【補正方法】変更
【補正の内容】
【００８１】
次に、上述したインクカートリッジを使用する本発明に係る画像形成装置としてのインクジェット記録装置の一例について図２７ないし図３０を参照して説明する。なお、図２７は本発明に係るインクジェット記録装置の前方側から見た斜視説明図、図２８は同記録装置のインクカートリッジ装填部のカバーを開いた状態の斜視説明図、図２９は同記録装置の機構部の全体構成を説明する概略構成図、図３０は同機構部の要部平面説明図である。
【手続補正７】
【補正対象書類名】明細書
【補正対象項目名】００９８
【補正方法】変更
【補正の内容】
【００９８】
なお、上記実施形態においては、本発明をキャリッジが走査するシリアル型（シャトル型）インクジェット記録装置に適用した例で説明したが、ライン型ヘッドを備えたライン型インクジェット記録装置にも同様に適用することができる。また、本発明に係る画像形成装置、インクジェット記録装置は、インクジェットプリンタ以外にも、ファクシミリ装置、複写装置、プリンタ／ファックス／コピア複合機などにも適用することができる。
【手続補正８】
【補正対象書類名】明細書
【補正対象項目名】０１０１
【補正方法】変更
【補正の内容】
【０１０１】
本発明に係るインクジェット記録装置、画像形成装置によれば、本発明に係るインクカートリッジを前面側から装填可能な構成としたので、インクカートリッジも使い切ったときにインク袋だけを交換することができるとともに、安定してインク供給を行うことができる。